(57)【要約】【課題】ショッピングカートの上部籠載置フレームより、買い物籠を持ち上げることなく、レジカウンター上に移載することができるショッピングカートを提供する。【解決手段】上部籠載置フレーム３において、少なくとも２個の買い物籠を横方向に載置できる巾と長さを有する籠載置部７は、第1の開口部１２側寄りに頂部が偏位して、短い傾斜部１４ａと長い傾斜部１４ｂを備えた第1の山型傾斜部１４と、第２の開口部側１３寄りに頂部が偏位して、短い傾斜部１５ａと長い傾斜部１５ｂを備えた第２の山型傾斜部１５とをそれぞれ連設して形成される。【選択図】図１
2006224689.tif 000002
【特許請求の範囲】
【請求項１】
ハンドルを上方に備えた支柱フレームの前方側に上下２段に亘って、上・下部籠載置フレームが間隔を有して突設され、且つ前記上部籠載置フレームは、レジカウンターより高い位置に配設されると共に、前記下部籠載置フレームの下面の各隅角部に、それぞれ４個のキャスターを回転自在に装置して形成されたショッピングカートにおいて、
上部籠載置フレームが、少なくとも２個の買い物籠を横方向に載置できる巾と長さを有するネット状の籠載置部を備え、且つ前記上部籠載置フレームの先端縁に先端側ストッパー柵を突設すると共に、前記先端縁から一方側の側縁の中央部近くまで一方側ストッパー柵を突設し、更に、前記上部籠載置フレームの基端縁に基端側ストッパー柵を突設すると共に、前記基端縁から他方側の側縁の中央部近くまで他方側ストッパー柵を突設して、前記一方側ストッパー柵と基端側ストッパー柵間に第1の開口部と、他方側ストッパー柵と先端側ストッパー柵間に第２の開口部をそれぞれ設ける一方、前記籠載置部は、前記第1の開口部側寄りに頂部が偏位して、短い傾斜部と長い傾斜部を備えた第1の山型傾斜部と、前記第２の開口部側寄りに頂部が偏位して、短い傾斜部と長い傾斜部を備えた第２の山型傾斜部とをそれぞれ連設して形成したことを特徴とするショッピングカート。
【請求項２】
ハンドルを上方に備えた支柱フレームの前方側に上下２段に亘って、上・下部籠載置フレームが間隔を有して突設され、且つ前記上部籠載置フレームは、レジカウンターより高い位置に配設されると共に、前記下部籠載置フレームの下面の各隅角部に、それぞれ４個のキャスターを回転自在に装置して形成されたショッピングカートにおいて、
上部籠載置フレームが、少なくとも２個の買い物籠を横方向に載置できる巾と長さを有するプレート状の籠載置部を備え、且つ前記上部籠載置フレームの先端縁に先端側ストッパー柵を突設すると共に、前記先端縁から一方側の側縁の中央部近くまで一方側ストッパー柵を突設し、更に、前記上部籠載置フレームの基端縁に基端側ストッパー柵を突設すると共に、前記基端縁から他方側の側縁の中央部近くまで他方側ストッパー柵を突設して、前記一方側ストッパー柵と基端側ストッパー柵間に第1の開口部と、他方側ストッパー柵と先端側ストッパー柵間に第２の開口部をそれぞれ設ける一方、前記籠載置部は、前記第1の開口部側寄りに頂部が偏位して、短い傾斜面と長い傾斜面を備えた第1の山型傾斜面と、前記第２の開口部側寄りに頂部が偏位して、短い傾斜面と長い傾斜面を備えた第２の山型傾斜面とをそれぞれ連設して形成したことを特徴とするショッピングカート。
【発明の詳細な説明】
【技術分野】
【０００１】
本発明は、スーパーマーケット等で、買い物客が、商品を入れた買い物籠を載せて店内を移動するショッピングカートに関するものであり、特に買い物籠を持ち上げことなく、ショッピングカートから簡単に、レジカウンターに移載することができるショッピングカートに関するものである。
【背景技術】
【０００２】
従来、買い物客がスーパーマーケット等で買った商品を、ショッピングカート上に載置した買い物籠に入れて、買い終わると前記ショッピングカートをレジカウンターまで押して移動させ、そして、買い物客が買い物籠をショッピングカートから持ち上げて、レジカウンター上に移載するようにしていた。前記ショッピングカートにおいては、買い物籠に入れた商品の重量が軽い場合はよいが、重い場合は、買い物籠を持ち上げてレジカウンターに移載するのが、特に老人や子供、あるいは腕に障害のある人の場合は非常に苦痛となっている。そして、ショッピングカートに関する過去の特許文献を遡及検索すると、下記の特許文献１に開示されたものが公知である。
【０００３】
【特許文献１】実開平５−１３８７６号公報
【発明の開示】
【発明が解決しようとする課題】
【０００４】
前記特許文献１に開示されたものは、単に、買い物の際に邪魔になる手荷物を、ショッピングカートに確実に安定した状態に停止させておくことができるようにしたショッピングカートに関するものであり、ショッピングカート上に載置された買い物籠を簡単にレジカウンター上に移載できるような技術思想については全く記載されていない。
【０００５】
また、前記現在使用されているショッピングカートにも、ショッピングカート上に載置された買い物籠を、簡単にレジカウンター上に移載できるような配慮は全くなされていないため、重量の重い買い物籠をレジカウンター上に移載するのが、特に老人や子供、腕に障害のある人にとっては苦痛であるという課題があった。
【０００６】
本発明は、前記課題を解決すべくなされたもので、買い物籠を持ち上げることなく、ショッピングカートの上部籠載置フレームより、該上部籠載置フレームよりは下方位置にあるレジカウンター上に、単に押圧してスライドさせるのみで、重量のある買い物籠でも極めて簡単に、レジカウンター上に移載することができるショッピングカートを提供しようとするものである。
【課題を解決するための手段】
【０００７】
本発明は、ハンドルを上方に備えた支柱フレームの前方側に上下２段に亘って、上・下部籠載置フレームが間隔を有して突設され、且つ前記上部籠載置フレームは、レジカウンターより高い位置に配設されると共に、前記下部籠載置フレームの下面の各隅角部に、それぞれ４個のキャスターを回転自在に装置して形成されたショッピングカートにおいて、
上部籠載置フレームが、少なくとも２個の買い物籠を横方向に載置できる巾と長さを有するネット状の籠載置部を備え、且つ前記上部籠載置フレームの先端縁に先端側ストッパー柵を突設すると共に、前記先端縁から一方側の側縁の中央部近くまで一方側ストッパー柵を突設し、更に、前記上部籠載置フレームの基端縁に基端側ストッパー柵を突設すると共に、前記基端縁から他方側の側縁の中央部近くまで他方側ストッパー柵を突設して、前記一方側ストッパー柵と基端側ストッパー柵間に第1の開口部と、他方側ストッパー柵と先端側ストッパー柵間に第２の開口部をそれぞれ設ける一方、前記籠載置部は、前記第1の開口部側寄りに頂部が偏位して、短い傾斜部と長い傾斜部を備えた第1の山型傾斜部と、前記第２の開口部側寄りに頂部が偏位して、短い傾斜部と長い傾斜部を備えた第２の山型傾斜部とをそれぞれ連設して形成するという手段、または、
ハンドルを上方に備えた支柱フレームの前方側に上下２段に亘って、上・下部籠載置フレームが間隔を有して突設され、且つ前記上部籠載置フレームは、レジカウンターより高い位置に配設されると共に、前記下部籠載置フレームの下面の各隅角部に、それぞれ４個のキャスターを回転自在に装置して形成されたショッピングカートにおいて、
上部籠載置フレームが、少なくとも２個の買い物籠を横方向に載置できる巾と長さを有するプレート状の籠載置部を備え、且つ前記上部籠載置フレームの先端縁に先端側ストッパー柵を突設すると共に、前記先端縁から一方側の側縁の中央部近くまで一方側ストッパー柵を突設し、更に、前記上部籠載置フレームの基端縁に基端側ストッパー柵を突設すると共に、前記基端縁から他方側の側縁の中央部近くまで他方側ストッパー柵を突設して、前記一方側ストッパー柵と基端側ストッパー柵間に第1の開口部と、他方側ストッパー柵と先端側ストッパー柵間に第２の開口部をそれぞれ設ける一方、前記籠載置部は、前記第1の開口部側寄りに頂部が偏位して、短い傾斜面と長い傾斜面を備えた第1の山型傾斜面と、前記第２の開口部側寄りに頂部が偏位して、短い傾斜面と長い傾斜面を備えた第２の山型傾斜面とをそれぞれ連設して形成するという手段、
を採用することにより、上記課題を解決した。
【発明の効果】
【０００８】
本発明は、ショッピングカートの上部籠載置フレームの籠載置部の傾斜面を利用することにより、買い物籠を持ち上げることなく、該上部籠載置フレームよりは下方位置にあるレジカウンター上に、単に押圧してスライドさせるのみで、重量のある買い物籠でも極めて簡単に、レジカウンター上に移載することができ、特に老人や子供、または腕に障害のある人の苦痛を軽減することができる。
【実施例１】
【０００９】
本発明の実施例１を図面に基づいて詳細に説明する。図１は、本発明の実施例１におけるショッピングカートの全体の斜視図であり、ハンドル１を上方に備えた支柱フレーム２の前方側に、上下２段に亘って、上・下部籠載置フレーム３・４が間隔を有して突設され、且つ該下部籠載置フレーム４の下面の各隅角部には、それぞれ４個のキャスター５が回転自在なるよう装置されている。なお、前記上部籠載置フレーム３は、後述するレジカウンターＣよりやや高い位置に配設されている。
【００１０】
また、前記上部籠載置フレーム３は、少なくとも２個の買い物籠６を横方向に載置できる巾と長さを有するネット状の籠載置部７を備え、且つ前記上部籠載置フレーム３の先端縁に先端側ストッパー柵８を突設すると共に、前記先端縁から一方側の側縁の中央部近くまで一方側ストッパー柵９を突設し、且つ該上部籠載置フレーム３の基端縁に基端側ストッパー柵１０を突設すると共に、前記基端縁から他方側の側縁の中央部近くまで他方側ストッパー柵１１を突設して、前記一方側ストッパー柵９と基端側ストッパー柵１０間に第1の開口部１２と、他方側ストッパー柵１１と先端側ストッパー柵８間に第２の開口部１３をそれぞれ設け、更に、前記籠載置部７は、前記第1の開口部１２側寄りに頂部が偏位して、短い傾斜部１４ａと長い傾斜部１４ｂを備えた、該第1の開口部１２の巾とほぼ同一巾の第1の山型傾斜部１４と、前記第２の開口部１３側寄りに頂部が偏位して、短い傾斜部１５ａと長い傾斜部１５ｂを備えた、該第２の開口部１３の巾とほぼ同一巾の第２の山型傾斜部１５とをそれぞれ連設して形成されている。
【００１１】
なお、前記基端側ストッパー柵１０は、前記上部籠載置フレーム３の基端縁と一体に突設されるのではなく、該基端側ストッパー柵１０を構成する上部杆１０ａの両端部が前記フレーム２に軸支されて、前方側へ回動可能に設置することが推奨される。
【００１２】
すなわち、基端側ストッパー柵１０を前記構成とすることにより、多数のショッピングカートを前後に多数重ねて収容する際に、前方側に位置するショッピングカートの基端側ストッパー柵１０は、後方側に位置するショッピングカートの先端側ストッパー柵８に押圧されて、前方側へ回動して後方側のショッピングカートの上部籠載置フレーム３を受け入れ、多数のショッピングカートを隙間なく重ねて収容することができる。
【００１３】
前記構成より成る上部籠載置フレーム３を備えたショッピングカートの籠載置部７上の手前側と先方側に２個の買い物籠６を横方向に載置すると、手前側に載置された買い物籠６は、第1の山型傾斜部１４の頂部が前記第1の開口部１２側寄りに偏位しているため、該第1の山型傾斜部１４を構成する長い傾斜部１４ｂ上に載置されると共に、他方側ストッパー柵１１に接触して、第1の開口部１２側と反対側へ傾斜するので、該第1の開口部１２側から落下する虞れはない。
【００１４】
また、先方側に載置された買い物籠６は、第２の山型傾斜部１５の頂部が前記第２の開口部１３側寄りに偏位しているため、該第２の山型傾斜部１５を構成する長い傾斜部１５ｂ上に載置されると共に、一方側ストッパー柵１０に接触して、第２の開口部１３側と反対側へ傾斜するので、該第２の開口部１３側から落下する虞れはない。
【００１５】
そして、各買い物籠６に買い求めようとする商品を入れて、買い物籠６を載置したままショッピングカートをレジカウンターＣまで移動させて、先ず第1・第２の開口部１２・１３のうち、レジカウンターＣ側に開口した側の開口部側に位置する買い物籠６を持ち上げることなく、前記開口部から上部籠載置フレーム３よりは下方位置にあるレジカウンターＣ上へ短い傾斜部１４ａ・１５ａを利用して押圧スライドさせて移載する。その後、他の買い物籠６を籠載置部７上において、前記レジカウンターＣ側へ開口した開口部側へ押圧スライドさせて、前記同様、レジカウンターＣ上に移載する。
【００１６】
なお、買い物籠６を籠載置部７上に１個しか載置しない場合でも、該買い物籠６を籠載置部７の長手方向（図７）、または横方向（図８）に載置すると共に、一方側・他方側ストッパー柵９・１１のいずれかに接するように載置すれば買い物籠６が脱落することがない。
【実施例２】
【００１７】
本発明の実施例２を図面に基づいて詳細に説明する。図９は、本発明の実施例２におけるショッピングカートの全体の斜視図であり、ハンドル１を上方に備えた支柱フレーム２の前方側に、上下２段に亘って、上・下部籠載置フレーム３・４が間隔を有して突設され、且つ該下部籠載置フレーム４の下面の各隅角部には、それぞれ４個のキャスター５が回転自在なるよう装置されている。なお、前記上部籠載置フレーム３は、レジカウンターＣよりやや高い位置に配設されている。
【００１８】
また、前記上部籠載置フレーム３は、少なくとも２個の買い物籠６を横方向に載置できる巾と長さを有するプレート状の籠載置部２７を備え、且つ前記上部籠載置フレーム３の先端縁に先端側ストッパー柵８を突設すると共に、前記先端縁から一方側の側縁の中央部近くまで一方側ストッパー柵９を突設し、且つ該上部籠載置フレーム３の基端縁に基端側ストッパー柵１０を突設すると共に、前記基端縁から他方側の側縁の中央部近くまで他方側ストッパー柵１１を突設して、前記一方側ストッパー柵９と基端側ストッパー柵１０間に第1の開口部１２と、他方側ストッパー柵１１と先端側ストッパー柵８間に第２の開口部１３をそれぞれ設け、更に、前記籠載置部２７は、前記第1の開口部１２側寄りに頂部が偏位して、短い傾斜面３４ａと長い傾斜面３４ｂを備えた、該第1の開口部１２の巾とほぼ同一巾の第1の山型傾斜面３４と、前記第２の開口部１３側寄りに頂部が偏位して、短い傾斜面３５ａと長い傾斜面３５ｂを備えた、該第２の開口部１３の巾とほぼ同一巾の第２の山型傾斜面３５とをそれぞれ連設して形成されている。
【００１９】
前記プレート状の籠載置部２７上に載置した買い物籠６が、前記第1・第２の山型傾斜面３４・３５間の段部に掛止して移動できなくなるのを防止するため、前記プレート状の籠載置部２７を構成する第1・第２の山型傾斜面３４・３５間には、段差をなくす緩衝面４０を設けることが推奨される。
【００２０】
なお、実施例２においても、実施例１と同様、前記基端側ストッパー柵１０は、前記上部籠載置フレーム３の基端縁と一体に突設されるのではなく、該基端側ストッパー柵１０を構成する上部杆１０ａの両端部が前記フレーム２に軸支されて、前方側へ回動可能に設置することが推奨される。
【００２１】
すなわち、基端側ストッパー柵１０を前記構成とすることにより、多数のショッピングカートを前後に多数重ねて収容する際に、前方側に位置するショッピングカートの基端側ストッパー柵１０は、後方側に位置するショッピングカートの先端側ストッパー柵８に押圧されて、前方側へ回動して後方側のショッピングカートの上部籠載置フレーム３を受け入れ、多数のショッピングカートを隙間なく重ねて収容することができる。
【００２２】
前記構成より成る上部籠載置フレーム３を備えたショッピングカートの籠載置部２７上の手前側と先方側に２個の買い物籠６を横方向に載置すると、前記実施例１と同様、手前側に載置された買い物籠６は、第1の山型傾斜面３４の頂部が前記第1の開口部１２側寄りに偏位しているため、該第1の山型傾斜面３４を構成する長い傾斜面３４ｂ上に載置されると共に、他方側ストッパー柵１１に接触して、第1の開口部１２側と反対側へ傾斜するので、該第1の開口部１２側から落下する虞れはない。
【００２３】
また、先方側に載置された買い物籠６は、第２の山型傾斜面３５の頂部が前記第２の開口部１３側寄りに偏位しているため、該第２の山型傾斜面３５を構成する長い傾斜面３５ｂ上に載置されると共に、一方側ストッパー柵１０に接触して、第２の開口部１３側と反対側へ傾斜するので、該第２の開口部１３側から落下する虞れはない。
【００２４】
そして、各買い物籠６に買い求めようとする商品を入れて、買い物籠６を載置したままショッピングカートをレジカウンターＣまで移動させて、先ず第1・第２の開口部１２・１３のうち、レジカウンターＣ側に開口した側の開口部側に位置する買い物籠６を持ち上げることなく、前記開口部から上部籠載置フレーム３よりは下方位置にあるレジカウンターＣ上へ短い傾斜面３４ａ・３５ａを利用して押圧スライドさせて移載する。その後、他の買い物籠６を籠載置部２７上において、前記レジカウンターＣ側へ開口した開口部側へ押圧スライドさせて、前記同様、レジカウンターＣ上に移載する。
【００２５】
なお、実施例２においても、買い物籠６を籠載置部２７上に１個しか載置しない場合の作用・効果については、前記実施例１の図７・図８と同一であるので、説明を省略する。
【図面の簡単な説明】
【００２６】
【図１】本発明の実施例１におけるショッピングカートの斜視図である。
【図２】本発明の実施例１におけるショッピングカートの側面図である。
【図３】本発明の実施例１におけるショッピングカートの上部籠載置フレームに、買い物籠を載置する状態を示す斜視図である。
【図４】本発明の実施例１におけるショッピングカートの上部籠載置フレームの籠載置部上の第1の開口部側に買い物籠を載置した状態を示す縦断面図である。
【図５】本発明の実施例１におけるショッピングカートの上部籠載置フレームの籠載置部上の第２の開口部側に買い物籠を載置した状態を示す縦断面図である。
【図６】本発明の実施例１におけるショッピングカートから買い物籠をレジカウンターに移載している状態を示す横断面図である。
【図７】本発明の実施例１におけるショッピングカートに１個の買い物籠を長手方向に載置した平面図である。
【図８】本発明の実施例１におけるショッピングカートに１個の買い物籠を横方向に載置した平面図である。
【図９】本発明の実施例２におけるショッピングカートの斜視図である。
【図１０】本発明の実施例２におけるショッピングカートの籠載置部の斜視図である。
【図１１】図１０のＡ−Ａ線断面図である。
【図１２】図１０のＢ−Ｂ線断面図である。
【図１３】図１０のＣ−Ｃ線断面図である。
【図１４】図１０のＤ−Ｄ線断面図である。
【符号の説明】
【００２７】
１  ハンドル
２  支柱フレーム
３  上部籠載置フレーム
４  下部籠載置フレーム
５  キャスター
６  買い物籠
７  籠載置部
８  先端側ストッパー柵
９  一方側ストッパー柵
１０  基端側ストッパー柵
１１  他方側ストッパー柵
１２  第1の開口部
１３  第２の開口部
１４  第1の山型傾斜部
１４ａ  短い傾斜部
１４ｂ  長い傾斜部
１５  第２の山型傾斜部
１５ａ  短い傾斜部
１５ｂ  長い傾斜部
２７  籠載置部
３４  第1の山型傾斜面
３４ａ  短い傾斜面
３４ｂ  長い傾斜面
３５  第２の山型傾斜面
３５ａ  短い傾斜面
３５ｂ  長い傾斜面
４０  緩衝面
Ｃ  レジカウンター
【図１】
2006224689.tif 000003
【図２】
2006224689.tif 000004
【図３】
2006224689.tif 000005
【図４】
2006224689.tif 000006
【図５】
2006224689.tif 000007
【図６】
2006224689.tif 000008
【図７】
2006224689.tif 000009
【図８】
2006224689.tif 000010
【図９】
2006224689.tif 000011
【図１０】
2006224689.tif 000012
【図１１】
2006224689.tif 000013
【図１２】
2006224689.tif 000014
【図１３】
2006224689.tif 000015
【図１４】
2006224689.tif 000016